(57)【要約】【課題】適切な放射線照射量を制御することを目的とする。【解決手段】放射線を電気信号に変換する複数の変換素子が配置された撮像領域と、撮像領域に配置され、放射線を検出する検出素子と、変換素子及び検出素子の信号を読み出す読出手段と、放射線照射中における読出手段によって読み出された検出素子の読み出し結果に基づいて放射線の照射量を制御する第１の制御方法と、読出手段によって読み出された複数の変換素子の信号に基づく放射線画像の画素値に基づいて、放射線の照射量を制御する第２の制御方法と、のうち、放射線画像の撮影における撮影条件に応じて選択した制御方法により、放射線画像の撮影における放射線の照射量制御を実行する制御手段とを有する。【選択図】図５
2020103872.tif 000002
【特許請求の範囲】
【請求項１】
放射線を電気信号に変換する複数の変換素子が配置された撮像領域と、
前記撮像領域に配置され、放射線を検出する検出素子と、
前記変換素子及び前記検出素子の信号を読み出す読出手段と、
放射線照射中における前記読出手段によって読み出された前記検出素子の信号に基づいて放射線の照射量を制御する第１の制御方法と、前記読出手段によって読み出された前記複数の変換素子の信号に基づく放射線画像の画素値に基づいて放射線の照射量を制御する第２の制御方法と、のうち、前記放射線画像の撮影における撮影条件に応じて選択した制御方法により、前記放射線画像の撮影における放射線の照射量制御を実行する制御手段とを有することを特徴とする放射線撮像装置。
【請求項２】
前記第１の制御方法は、放射線の積算照射量に応じて照射停止を制御する方法であり、
前記撮影条件は、フレームレートと照射時間を含み、
前記制御手段は、前記フレームレートに基づいて、前記第１の制御方法における蓄積可能時間を特定し、前記蓄積可能時間と前記照射時間とに基づいて、前記制御方法を選択することを特徴とする請求項１に記載の放射線撮像装置。
【請求項３】
前記制御手段は、前記蓄積可能時間が前記照射時間に比べて大きい場合には、前記第１の制御方法を選択し、前記蓄積可能時間が前記照射時間以下の場合には、前記第２の制御方法を選択することを特徴とする請求項２に記載の放射線撮像装置。
【請求項４】
前記第２の制御方法は、放射線画像の画素値に基づいて、前記放射線画像に対応した放射線撮影よりも後の放射線撮影における照射条件を設定する方法であり、
前記制御手段は、前記第２の制御方法を実行する場合に、前記第２の制御方法の開始から予め定められた期間の間、前記第２の制御方法と共に、前記第１の制御方法を実行することを特徴とする請求項２又は３に記載の放射線撮像装置。
【請求項５】
前記制御手段は、前記第２の制御方法を実行する場合に、前記第２の制御方法の開始から前記第２の制御方法により前記照射条件を設定するまでの間、前記第２の制御方法と共に、前記第１の制御方法を実行することを特徴とする請求項４に記載の放射線撮像装置。
【請求項６】
前記第１の制御方法と、前記第２の制御方法の対象領域は、同一の領域であることを特徴とする請求項１乃至５の何れか１項に記載の放射線撮像装置。
【請求項７】
前記制御手段は、前記第１の制御方法と前記第２の制御方法それぞれの制御値の相関データと、前記第１の制御方法及び前記第２の制御方法のうち一方の制御方法において参照される閾値と、に基づいて、前記第１の制御方法及び前記第２の制御方法のうち他方の制御方法において参照される閾値を決定することを特徴とする請求項１乃至６の何れか１項に記載の放射線撮像装置。
【請求項８】
放射線を電気信号に変換する複数の変換素子が配置された撮像領域と、
前記撮像領域に配置され、放射線を検出する検出素子と、
前記変換素子及び前記検出素子の信号を読み出す読出手段と、
放射線照射中における前記読出手段によって読み出された前記検出素子の信号に基づいて放射線の照射量を制御する第１の制御方法と、前記読出手段によって読み出された前記複数の変換素子の信号に基づく放射線画像の画素値に基づいて放射線の照射量を制御する第２の制御方法とを調停する調停手段とを有することを特徴とする放射線撮像装置。
【請求項９】
前記調停手段は、前記第１の制御方法と前記第２の制御方法の使用が設定されている場合、前記第１の制御方法と前記第２の制御方法のうちのいずれか一方のみを有効にすることを特徴とする請求項８に記載の放射線撮像装置。
【請求項１０】
前記調停手段は、前記第１の制御方法と前記第２の制御方法の使用が設定されている場合、撮影方法に応じて、前記第１の制御方法と前記第２の制御方法のうちのいずれか一方のみを有効にすることを特徴とする請求項８又は９に記載の放射線撮像装置。
【請求項１１】
前記調停手段は、前記第１の制御方法と前記第２の制御方法の使用が設定されている場合、一般撮影の場合には、前記第１の制御方法のみを有効にし、透視撮影の場合には、前記第２の制御方法のみを有効にすることを特徴とする請求項８乃至１０の何れか１項に記載の放射線撮像装置。
【請求項１２】
前記調停手段は、前記第１の制御方法と前記第２の制御方法の使用が設定されている場合、撮影方法に応じて、前記第１の制御方法と前記第２の制御方法のうちのいずれか一方のみを優先させて、前記第１の制御方法と前記第２の制御方法を併用することを特徴とする請求項８に記載の放射線撮像装置。
【請求項１３】
前記調停手段は、前記第１の制御方法と前記第２の制御方法の使用が設定されている場合、一般撮影の場合には、前記第１の制御方法を優先させて、前記第１の制御方法と前記第２の制御方法を併用し、透視撮影の場合には、前記第２の制御方法を優先させて、前記第１の制御方法と前記第２の制御方法を併用することを特徴とする請求項８又は１２に記載の放射線撮像装置。
【請求項１４】
前記調停手段は、前記第１の制御方法と前記第２の制御方法の使用が設定されている場合、放射線の最低照射時間を下回らないように、前記第１の制御方法と前記第２の制御方法を調停することを特徴とする請求項８、１２及び１３の何れか１項に記載の放射線撮像装置。
【請求項１５】
前記調停手段は、前記第１の制御方法と前記第２の制御方法の使用が設定されている場合、最低管電流又は最低管電圧を下回らないように、前記第１の制御方法と前記第２の制御方法を調停することを特徴とする請求項８、１２及び１３の何れか１項に記載の放射線撮像装置。
【請求項１６】
前記調停手段は、前記第１の制御方法と前記第２の制御方法の使用が設定されている場合、前記第２の制御方法による管電流もしくは管電圧が減少するような指示の場合には、前記第１の制御方法と前記第２の制御方法を有効にし、前記第２の制御方法による管電流もしくは管電圧が増加するような指示の場合には、前記第１の制御方法を有効せず、前記第２の制御方法を有効にすることを特徴とする請求項８に記載の放射線撮像装置。
【請求項１７】
放射線源と、
請求項１乃至１６の何れか１項に記載の放射線撮像装置と
を有することを特徴とする放射線撮像システム。
【請求項１８】
放射線を電気信号に変換する複数の変換素子が配置された撮像領域と、
前記撮像領域に配置され、放射線を検出する検出素子と、
前記変換素子及び前記検出素子の信号を読み出す読出手段と、を備えた放射線撮像装置が実行する制御方法であって、
放射線照射中における前記読出手段によって読み出された前記検出素子の信号に基づいて放射線の照射量を制御する第１の制御方法と、前記読出手段によって読み出された前記複数の変換素子の信号に基づく放射線画像の画素値に基づいて、放射線の照射量を制御する第２の制御方法と、のうち、前記放射線画像の撮影における撮影条件に応じて選択された制御方法により、前記放射線画像の撮影における放射線の照射量制御を実行する制御ステップを含むことを特徴とする制御方法。
【請求項１９】
放射線を電気信号に変換する複数の変換素子が配置された撮像領域と、
前記撮像領域に配置され、放射線を検出する検出素子と、
前記変換素子及び前記検出素子の信号を読み出す読出手段と、を備えた放射線撮像装置が実行する制御方法であって、
放射線照射中における前記読出手段によって読み出された前記検出素子の信号に基づいて放射線の照射量を制御する第１の制御方法と、前記読出手段によって読み出された前記複数の変換素子の信号に基づく放射線画像の画素値に基づいて放射線の照射量を制御する第２の制御方法とを調停する調停ステップを含むことを特徴とする制御方法。
【請求項２０】
コンピュータに請求項１８又は１９に記載の制御方法の各ステップを実行させるためのプログラム。
【発明の詳細な説明】
【技術分野】
【０００１】
本発明は、放射線撮像装置、放射線撮像システム、制御方法及びプログラムに関する。
【背景技術】
【０００２】
Ｘ線による医療画像診断や非破壊検査に用いる撮影装置として、ＴＦＴ（薄膜トランジスタ）等のスイッチ素子と光電変換素子等の変換素子とを組み合わせた画素アレイを有するマトリクス基板を用いた検出装置や放射線検出装置が実用化されている。このような放射線撮像装置は、例えば医療画像診断においては、一般撮影のような静止画撮影や、透視撮影のような動画撮影のデジタル撮像装置として用いられている。
【０００３】
近年、こうした検出装置の多機能化が検討されている。その一つとして、放射線源が放射線を照射している間、検出装置が照射情報を把握する機能の内蔵が検討されている。例えば、放射線源から放射線が照射される曝射開始のタイミングを把握する機能や、放射線量や積算照射量を把握する機能が挙げられる。また、積算照射量を監視し、積算照射量が適正量に達した時点で検出装置が放射線源を制御し照射を終了させることも可能となる。これらは、自動露出制御（Ａｕｔｏｍａｔｉｃ  Ｅｘｐｏｓｕｒｅ  Ｃｏｎｔｒｏｌ、以下ＡＥＣと呼ぶ)と呼ばれる。
【０００４】
特許文献１には、放射線の照射中に画素に蓄積された電荷を読み出すことで、照射線量情報を取得し、取得した照射線量情報と線量の目標値に応じて、放射線の照射の終了を指示する放射線撮像装置が開示されている。
【０００５】
また、適切な放射線像の輝度を得るための別の技術として、自動輝度調整（Ａｕｔｏｍａｔｉｃ  Ｂｒｉｇｈｔｎｅｓｓ  Ｃｏｎｔｒｏｌ、以下ＡＢＣと呼ぶ）がある。ＡＢＣは、Ｘ線像における関心領域（Ｒｅｇｉｏｎ  Ｏｆ  Ｉｎｔｅｒｅｓｔ、以下ＲＯＩと呼ぶ）内の画素値の平均値又は重み付け平均値を目標値に近付けることで輝度レベルを一定にする技術である。具体的には、ＡＢＣにおいては、ＲＯＩの平均値に応じて、次フレーム以降で発生される放射線の条件を変更する。特許文献２には、このＡＢＣの精度向上を行う技術が開示されている。
【先行技術文献】
【特許文献】
【０００６】
【特許文献１】特開２０１５−２１３５４６号公報
【特許文献２】特開２０１１−９８００９号公報
【発明の概要】
【発明が解決しようとする課題】
【０００７】
しかしながら、放射線の照射中に読み出される画素の出力には画素内で発生する暗電荷や、ＡｍｐＩＣの基準電位等に起因するオフセット成分が含まれる。ＡＥＣにおいて、照射線量情報を正確に取得するためには、このオフセット成分をＸ線照射の直前に取得して、各フレームの照射中の出力から減算する必要がある。オフセット成分取得のための準備駆動シーケンスは、フレーム毎に必要となる。したがって、高フレームレート撮影においては、各フレームの電荷蓄積可能時間、すなわち、Ｘ線照射可能時間が短くなり、所望の撮影動作を実施することが難しい。
【０００８】
一方、ＡＢＣは、取得したＸ線画像を解析して、Ｘ線発生装置にフィードバッグする方式のため、高フレームレート撮影にも対応可能である。しかし、解析結果は次フレーム以降に反映されるため、制御対象フレーム遅れが発生する。そのため、撮影開始の１フレーム目からあるフレームまでは、フィードバックがかからない撮影となる。
【０００９】
本発明はこのような問題点に鑑みなされたもので、適切な放射線照射量を制御することを目的とする。
【課題を解決するための手段】
【００１０】
そこで、本発明は、放射線を電気信号に変換する複数の変換素子が配置された撮像領域と、前記撮像領域に配置され、放射線を検出する検出素子と、前記変換素子及び前記検出素子の信号を読み出す読出手段と、放射線照射中における前記読出手段によって読み出された前記検出素子の信号に基づいて放射線の照射量を制御する第１の制御方法と、前記読出手段によって読み出された前記複数の変換素子の信号に基づく放射線画像の画素値に基づいて放射線の照射量を制御する第２の制御方法と、のうち、前記放射線画像の撮影における撮影条件に応じて選択した制御方法により、前記放射線画像の撮影における放射線の照射量制御を実行する制御手段と、を有することを特徴とする。
【発明の効果】
【００１１】
本発明によれば、適切な放射線照射量を制御することができる。
【図面の簡単な説明】
【００１２】
【図１】放射線撮像システムの全体図である。
【図２】検出部の構成図である。
【図３】制御部の構成図である。
【図４】ＡＥＣ時のタイミングチャートを示す図である。
【図５】放射線量制御処理を示すフローチャートである。
【図６】Ｓ５０５の処理のタイミングチャートを示す図である。
【図７】調停部の制御方法を示すフローチャートである。
【図８】調停部の制御方法を示すフローチャートである。
【図９】調停部の制御方法を示すフローチャートである。
【図１０】調停部の制御方法を示すフローチャートである。
【発明を実施するための形態】
【００１３】
以下、本発明の実施形態について図面に基づいて説明する。
【００１４】
（第１の実施形態）
図１は、第１の実施形態に係る放射線撮像システム１０の全体図である。放射線撮像システム１０は、放射線撮像装置３００、通信制御装置３２３、放射線発生装置３２４、放射線源３２５、撮像装置ケーブル３２６及び放射線発生装置通信ケーブル３２７を有している。放射線撮像装置３００、通信制御装置３２３、放射線発生装置３２４、放射線源３２５、撮像装置ケーブル３２６及び放射線発生装置通信ケーブル３２７は、放射線室１に設定されている。なお、放射線撮像装置３００がワイヤレス通信する場合には、撮像装置ケーブル３２６の代わりにアクセスポイントが備えられる。
【００１５】
放射線撮像装置３００はまた、制御装置３１０、放射線照射スイッチ３１１、表示装置３１３、入力装置３１４、院内ＬＡＮ３１５及び放射線室通信ケーブル３１６を有している。制御装置３１０、放射線照射スイッチ３１１、表示装置３１３、入力装置３１４、院内ＬＡＮ３１５及び放射線室通信ケーブル３１６は、制御室２に設定されている。
【００１６】
放射線撮像装置３００は、被検者３０６を透過した放射線を検出して、放射線画像データを生成する。通信制御装置３２３は、放射線発生装置３２４と制御装置３１０が通信できるように制御する。放射線発生装置３２４は、照射条件に基づいて放射線を照射するように放射線源３２５を制御する。放射線源３２５は、放射線発生装置３２４の制御に従って被検者３０６に放射線を照射する。
【００１７】
撮像装置ケーブル３２６は、放射線撮像装置３００と、通信制御装置３２３を接続するためのケーブルである。放射線発生装置通信ケーブル３２７は、放射線発生装置３２４と通信制御装置３２３を接続するためのケーブルである。
【００１８】
制御装置３１０は、通信制御装置３２３を介して、放射線発生装置３２４及び放射線撮像装置３００と通信し、放射線撮像システム１０を統括制御する。放射線照射スイッチ３１１は、操作者３１２の操作により、放射線照射のタイミングを入力する。入力装置３１４は、操作者３１２からの指示の入力を行う装置であり、キーボートやタッチパネル等の種々の入力デバイスが用いられる。表示装置３１３は、画像処理された放射線画像データやＧＵＩの表示を行う装置であり、ディスプレイなどが用いられる。院内ＬＡＮ３１５は、院内の基幹ネットワークである。
【００１９】
次に、放射線撮像システム１０の動作について説明する。まず、制御装置３１０は、操作者３１２の操作に応じて、被検者３０６のＩＤ、名前、生年月日等の被検者情報及び被検者３０６の撮影部位等の撮影情報を設定する。なお、他の例としては、制御装置３１０は、操作者３１２が院内ＬＡＮを介して受信した検査オーダを選択すると、選択された検査オーダに示された撮影情報を設定してもよい。また他の例としては、制御装置３１０は、予め設定された撮影プロトコルを選択することで、撮影情報を設定してもよい。制御装置３１０はさらに、設定された情報に基づいて、撮影時のフレームレートや各フレームにおける放射線照射時間等の撮影条件を特定する。
【００２０】
撮影準備が完了すると、操作者３１２は放射線照射スイッチ３１１を押下する。放射線照射スイッチ３１１が押下されると、放射線撮像装置３００が準備を行った後、放射線源３２５から被検者３０６に向かい放射線が照射される。放射線撮像装置３００は、放射線発生装置３２４と通信を行い、放射線照射の開始や終了の制御を行う。被検者３０６に照射された放射線は、被検者３０６を透過して放射線撮像装置３００に入射する。放射線撮像装置３００は、入射した放射線を可視光に変換した後、光電変換素子で放射線画像信号として検出する。
【００２１】
放射線撮像装置３００は、光電変換素子を駆動して放射線画像信号を読み出し、ＡＤ変換回路でアナログ信号をデジタル信号に変換してデジタル放射線画像データを得る。得られたデジタル放射線画像データは、放射線撮像装置３００から制御装置３１０へ転送される。制御装置３１０は、受信したデジタル放射線画像データを画像処理する。制御装置３１０は、画像処理した放射線画像データに基づく放射線画像を表示装置３１３に表示する。制御装置３１０は、画像処理装置および表示制御装置として機能する。以上が、放射線撮像システム１０の動作である。
【００２２】
図２は、放射線撮像装置３００が有する検出部２２３の構成図である。検出部２２３は、支持基板１００、駆動回路２２１、読出回路２２２、及び制御部２２５を有している。支持基板１００には画素アレイ２２８が配置されている。ここで、画素アレイ２２８は、撮像領域の一例である。画素アレイ２２８は、行列状に配された複数の画素を有している。なお、画素アレイ２２８には、第１の画素１０１と第２の画素１２１が含まれる。以下、第１の画素１０１及び第２の画素１２１について説明する。
【００２３】
第１の画素１０１は、放射線画像を取得するために、入射した放射線又は光を入射した量に応じた電荷に変換する変換素子１０２と、変換素子１０２で生成された電荷を信号線に出力するスイッチ素子１０３とを有している。変換素子１０２は、例えば放射線を光に変換するシンチレータと、シンチレータで変換された光を電荷に変換する光電変換素子とを用いた間接型の変換素子とする。また他の例としては、変換素子１０２として、例えば放射線を直接電荷に変換する直接型の変換素子を用いることができる。スイッチ素子１０３としては、例えば非晶質シリコン又は多結晶シリコンを用いた薄膜トランジスタ（ＴＦＴ）を用いることができる。例えば、ＴＦＴに求められる特性に応じて、多結晶シリコンをスイッチ素子１０３として用いてもよい。また、ＴＦＴに用いる半導体材料は、シリコンに限られるものではなく、ゲルマニウムや化合物半導体などの他の半導体材料であってもよい。
【００２４】
変換素子１０２の第１電極には、スイッチ素子１０３の第１主電極が電気的に接続され、変換素子１０２の第２電極には、バイアス線１０８が電気的に接続される。バイアス線１０８は、列に沿って配された複数の変換素子１０２の第２電極に共通して接続される。各列に配されたバイアス線１０８には、共通のバイアス電圧が供給される。バイアス線１０８は、不図示の電源回路よりバイアス電圧の供給を受ける。
【００２５】
スイッチ素子１０３の第２主電極には、信号線１０６が電気的に接続される。信号線１０６には、列に沿って配された画素のスイッチ素子１０３の第２主電極が共通に接続される。信号線１０６は、画素の列ごとに配される。各信号線１０６は、読出回路２２２に電気的に接続される。スイッチ素子１０３の制御電極には、駆動線１０４が電気的に接続される。駆動線１０４は、行に沿って配された複数の第１の画素１０１のスイッチ素子１０３の制御電極に共通に接続される。駆動線１０４には、駆動回路２２１からゲート制御電圧Ｖｇ１〜Ｖｇｎが印加される。
【００２６】
第２の画素１２１は、検出素子１２２と、検出素子１２２で生成された電荷を信号線に出力するスイッチ素子１２３とを有している。検出素子１２２は、放射線照射中に入射する放射線量の総量を取得するために、入射した放射線又は光を、入射した量に応じた電荷に変換する素子である。スイッチ素子１２３は、検出素子１２２で生成された電荷を信号線に出力する素子である。さらに、第２の画素１２１は、変換素子１０２とスイッチ素子１０３とを含む。検出素子１２２の変換素子１０２及びスイッチ素子１２３は、それぞれ第１の画素１０１の変換素子１０２及びスイッチ素子１０３と同様に動作する。
【００２７】
検出素子１２２の第１電極には、スイッチ素子１２３の第１主電極が電気的に接続される。検出素子１２２の第２電極には、列ごとに配されたバイアス線１０８が電気的に接続される。検出線１１０には、列に沿って配されたスイッチ素子１２３の第２主電極が接続される。各検出線１１０は、読出回路２２２に電気的に接続される。スイッチ素子１２３の制御電極には、行毎に配された駆動線１２４が接続される。各駆動線１２４には、駆動回路２２１からゲート制御電圧Ｖｄ１〜Ｖｄｎが印加される。
【００２８】
本実施形態の画素アレイ２２８は、図２に示すように、第２の画素１２１を複数有している。但し、画素アレイ２２８は、第２の画素１２１を少なくとも１つ有していればよく、その数及び位置は実施形態に限定されるものではない。画素アレイ２２８が第２の画素１２１を複数有する場合には、入射する放射線量の検出は、複数配されている第２の画素１２１の検出素子１２２のうち１つだけで行われてもよいし、複数の検出素子によって行われてもよい。また、他の例としては、画素アレイ２２８は、第２の画素１２１を有さなくともよい。この場合には、放射線の照射中に駆動線１０４を駆動させ、第１の画素１０１が入射する放射線量の総量を検出してもよい。
【００２９】
読出回路２２２では、信号線１０６及び検出線１１０が、それぞれオペアンプ１５０の反転入力端子に接続される。またオペアンプ１５０の反転入力端子は、帰還容量を介し出力端子に接続され、非反転入力端子は、任意の固定電位に接続される。オペアンプ１５０は、電荷電圧変換回路として機能する。オペアンプ１５０の後段に、サンプルホールド回路１５１、マルチプレクサ１５２を介してＡＤコンバータ１５３が接続される。読出回路２２２は、信号線１０６及び検出線１１０を介して第１の画素１０１の変換素子１０２、第２の画素１２１の変換素子１０２及び検出素子１２２から転送される電荷をデジタル信号の電気信号に変換するデジタル変換回路である。読出回路２２２は、各回路が集積化された構成でもよく、回路毎に個別に設けられてもよい。
【００３０】
図３は、制御部２２５の構成図である。制御部２２５は、駆動制御部４００、ＣＰＵ４０１、メモリ４０２、放射線制御部４０３、画像データ制御部４０４及び有線通信部４０７を備える。駆動制御部４００は、信号処理部２２４からの情報や制御装置３１０からのコマンドに基づいて、駆動回路２２１及び読出回路２２２を制御する。コマンドには撮影部位の情報も含まれる。ＣＰＵ４０１は、メモリ４０２に格納されたプログラムや各種のデータを用いて、放射線撮像装置３００全体の制御を行う。メモリ４０２は、例えば、ＣＰＵ４０１が処理を実行する際に用いるプログラムや各種のデータを保存する。また、メモリ４０２には、ＣＰＵ４０１の処理により得られた各種のデータ及び、放射線画像データが保存される。
【００３１】
放射線制御部４０３は、信号処理部２２４からの情報や駆動制御部４００からの情報に基づき、放射線発生装置３２４を制御する。放射線制御部４０３は、有線通信部４０７を介して、放射線発生装置３２４との間で、制御に関する情報（例えば、放射線の照射開始、停止の通知、放射線の照射量、積算照射量等）のやり取りを行う。画像データ制御部４０４は、読出回路２２２からの画像データをメモリ４０２に保存すると共に、制御装置３１０との通信を制御する。画像データ制御部４０４と制御装置３１０は、放射線画像データや制御に関する情報（例えば、制御コマンド等）のやり取りを行う。有線通信部４０７は、有線接続された外部装置との通信を行う。
【００３２】
なお、後述する制御部２２５の機能や処理は、ＣＰＵ４０１がメモリ４０２に格納されているプログラムを読み出し、このプログラムを実行することにより実現されるものである。また、他の例としては、ＣＰＵ４０１は、メモリ４０２に替えて、ＳＤカード等の記録媒体に格納されているプログラムを読み出してもよい。
【００３３】
また、他の例としては、制御部２２５の機能や処理の少なくとも一部は、例えば複数のＣＰＵ及びメモリを協働させることにより実現してもよい。また、他の例としては、制御部の機能や処理の少なくとも一部は、ハードウェア回路を用いて実現してもよい。
【００３４】
次に、放射線撮像システム１０による線量制御動作（ＡＥＣ及びＡＢＣ）について説明する。放射線の撮像を行う場合、まず、操作者３１２は、制御装置３１０に、線量、最大照射時間、管電流、管電圧、等の照射条件、放射線をモニタすべき領域である放射線検知領域（ＲＯＩ）、撮影部位情報などを入力する。制御装置３１０は、入力された照射条件、放射線検知領域（ＲＯＩ）、撮影部位などを、放射線撮像装置３００及び放射線発生装置３２４へ送信する。その後、撮影準備が完了し、操作者３１２が放射線照射スイッチ３１１を押下すると、放射線発生装置３２４から放射線が照射される。照射された放射線は、被検者３０６を透過して放射線撮像装置３００に入射する。
【００３５】
まず、ＡＥＣについて説明する。放射線撮像装置３００は、入射した放射線によりＡＥＣを行う。ＲＯＩに入射した放射線が検出素子１２２で検出されると、放射線撮像装置３００のＣＰＵ４０１は、所定の期間に検出した線量（到達線量）の積算値である積算照射量を演算する。そして、ＣＰＵ４０１は、積算照射量と、操作者３１２が入力した撮影部位や撮影条件等から算出した適正線量とに基づいて、放射線照射停止タイミングを決定する。
【００３６】
放射線制御部４０３は、決定された放射線照射停止タイミングに基づき、放射線発生装置３２４に停止を通知する。放射線発生装置３２４は、通知された放射線照射停止タイミングに基づき、放射線の照射を停止する。なお、放射線撮像装置３００は、放射線照射の停止を通知しているがこれに限らない。放射線撮像装置３００が、検出結果として所定の時間毎の到達線量を送信し、放射線発生装置３２４が、当該到達線量の積算値を算出する構成であってもよい。
【００３７】
次に、ＡＢＣについて説明する。放射線撮像装置３００は、放射線撮像において取得した画像に対して、予め設定されたＲＩＯ内の画素値（輝度）の平均値もしくは重み付け平均値を算出する。算出結果は、放射線発生装置３２４に対して送信される。放射線発生装置３２４は、算出結果を次フレーム以降の撮影に係る放射線の照射条件に反映する。なお、ＡＥＣは、放射線照射中の画素の読み出し結果に応じた露出制御の一例である。また、ＡＢＣは、取得済みの画素値の解析結果に応じた輝度制御の一例である。
【００３８】
図４は、ＡＥＣのタイミングチャートを示す図である。図４に示す期間Ｔ１は、待機中のアイドリング期間を表す。この期間Ｔ１において、図４に示すように駆動回路２２１から印加される信号によって画素アレイ２２８は、アイドリング動作を繰り返す。アイドリング動作は、例えば検出部２２３の電源投入後、オフセット成分取得が開始されるまで行われる。期間Ｔ１は、ユーザが撮像情報の入力をしている時間や、ユーザが曝射スイッチを押すまでの時間である。
【００３９】
期間Ｔ１において、変換素子１０２から発生するダーク電流を定期的に除去するために、ゲート制御電圧Ｖｇ１〜Ｖｇｎに定期的にＨｉ信号が印加され、第１の画素１０１のスイッチ素子１０３が走査される。同様に、第２の画素１２１の検出素子１２２から発生するダーク電流を除去するために、ゲート制御電圧Ｖｄ１〜Ｖｄｎには常にＨｉ信号が印加され、第２の画素１２１のスイッチ素子１２３が導通した状態となる。ここでＨｉ信号は、各スイッチ素子１０３、１２３がＯＮとなる電圧であり、Ｌｏ信号は、各スイッチ素子１０３、１２３がＯＦＦとなる電圧（例えば、０Ｖ）である。
【００４０】
また、図４のタイミングチャートは、検出素子１２２を複数用いて入射する放射線量を検出する場合に対応する。この場合、複数の検出素子１２２には、同じ目標放射線量が設定されているものとする。なお、目標放射線量は、撮影部位や撮影条件等に基づいて、制御部２２５により算出される。そして、少なくとも１つの検出素子１２２の検出値が目標放射線量に達した場合に、制御部２２５は、停止信号を出力する。
【００４１】
なお、他の例としては、制御部２２５は、すべての検出素子１２２の検出値が目標放射線量に達した場合に停止信号を出力してもよく、すべての検出素子１２２の検出値の平均値が目標放射線量に達した場合に停止信号を出力してもよい。また、他の例としては、複数の検出素子１２２には、互いに異なる目標放射線量が設定されていてもよい。検出素子１２２の目標放射線量や、制御部２２５が停止信号を出力する条件は、被写体や撮像条件、検出素子１２２の画素アレイ２２８内での位置などに応じて適宜設定されるものとする。
【００４２】
次に、放射線照射スイッチ３１１が押されると、放射線撮像装置３００は、照射要求信号を受信する。放射線撮像装置３００が照射要求信号を受信すると、期間Ｔ２に移行する。期間Ｔ２は、オフセット成分取得の期間である。期間Ｔ２では、放射線が照射されていない状態で、ゲート制御電圧Ｖｄ１〜Ｖｄｎを一定の周期でＯＮさせ、オフセット成分を取得する。ここで、オフセット成分は、クロストークや暗電流を含む。ＯＮの回数は予め定められているものとする。ゲート制御電圧Ｖｄ１〜ＶｄｎのＯＮの周期は、放射線の照射中に放射線信号を検出する周期と同一とする。同一の駆動を行うことで、オフセット成分取得時のオフセット信号量と、放射線照射中の検出信号にのるオフセット信号量と、を近しい値にすることができ、オフセット成分を精度よく補正することができる。
【００４３】
オフセット成分取得が終了すると、期間Ｔ３に移行する。期間Ｔ３は、放射線を照射し放射線画像を取得する期間である。本実施形態においては、放射線発生装置３２４が、放射線撮像装置３００から照射許可信号を受信することで、実際の放射線照射が開始されるものとする。期間Ｔ３において、各スイッチ素子１０３を駆動するゲート制御電圧Ｖｇ１〜ＶｇｎにＬｏ信号が印加され、各変換素子１０２は、入射した放射線量に応じた電荷を蓄積する。また、スイッチ素子１２３を駆動するゲート制御電圧Ｖｄ１〜ＶｄｎにＨｉ信号が一定の検出周期で印加され、検出素子１２２で検出された電荷が、検出線１１０を介して読出回路２２２に送られる。読出回路２２２は、検出された電荷に基づいた電気信号を、信号処理部２２４を介して制御部２２５に供給する。制御部２２５は、検出素子１２２に入射する放射線量を検出周期毎に取得する。期間Ｔ２〜Ｔ３において、スイッチ素子１２３は、同一の周期で駆動し続けるものとする。期間Ｔ２から期間Ｔ３に移行する際に、検出周期が変更される場合や検出が一時的に止まる場合には、駆動の切り替わりにより意図せぬ信号の変動が生じる。これにより、期間Ｔ３の初期の検出信号が影響を受け、検出精度が低下する可能性がある。
【００４４】
なお、図４では、スイッチ素子１２３の制御電極に印加されるゲート制御電圧Ｖｄ１〜Ｖｄｎが、同時にＨｉ信号となるが、期間Ｔ２における動作は、これに限られるものではない。例えば、同じ検出線１１０に接続された検出素子１２２のスイッチ素子１２３に対応するゲート制御電圧Ｖｄ１〜ＶｄｎのＨｉ信号のタイミングを分けてもよい。この場合、一度に読み出し可能な信号量が減るものの検出領域の空間解像度を上げることが可能となる。また、検出素子１２２のオフセット成分取得は、ぞれぞれのスイッチ素子１２３の駆動周期と同一の周期で取得される。
【００４５】
検出素子１２２から読出回路２２２に送られた電荷は、オペアンプ１５０で電圧情報に変換される。次いで、サンプルホールド回路１５１によって検出周期に基づきサンプリングされ、マルチプレクサ１５２を介してＡＤコンバータ１５３でデジタルデータの電気信号に変換される。
【００４６】
制御部２２５は、検出素子１２２で検出し電荷から電気信号に変換された放射線量を取得したオフセット成分を用いて補正する。その後、制御部２２５は、補正した放射線量の累計値（積算照射量）と、目標放射線量と、に基づいて、放射線の曝射停止判定を行う。制御部２２５は、照射された放射線の累計値が目標放射線量に達した場合、又は、目標放射線量に達すると予想した場合、放射線照射の停止信号を放射線発生装置３２４へ出力する。放射線発生装置３２４は、放射線源３２５による放射線の照射を停止させる。
【００４７】
期間Ｔ３は、撮像モードや事前に入力された照射時間に応じて、その長さが設定される。制御部２２５は、例えば、上述のように目標放射線量に達しない場合でも、照射情報として入力された照射時間の上限になった場合、放射線の照射を停止させるよう制御する。検出素子１２２で検出された放射線量の累計値が目標放射線量に達した後、又は、所定の時間が経過した後、期間Ｔ３から期間Ｔ４に移行する。
【００４８】
期間Ｔ４は、放射線の照射後に、撮像した放射線画像を取得する期間である。期間Ｔ４の間、制御部２２５は、変換素子１０２に蓄積された信号電荷を読み出すための制御信号を駆動回路２２１に出力する。駆動回路２２１は、制御信号に応じてゲート制御電圧Ｖｇ１〜Ｖｇｎに順次Ｈｉ信号を印加し、第１の画素１０１及び第２の画素１２１のスイッチ素子１０３を順次走査する。変換素子１０２に蓄積された電荷は、オペアンプ１５０で電圧情報に変換され、サンプルホールド回路１５１によってサンプリングされ、マルチプレクサ１５２を介してＡＤコンバータ１５３でデジタルデータの電気信号に変換される。変換素子１０２によって取得され、読み出された電気信号に基づいて、放射線画像が形成される。この期間Ｔ２からＴ４の動作を、所望の撮影フレーム分繰り返した後、撮影終了となる。
【００４９】
図５は、制御部２２５による放射線量制御処理を示すフローチャートである。Ｓ５０１において、制御部２２５のＣＰＵ４０１は、制御装置３１０から撮影モード情報を取得する。撮影モード情報は、撮影モードを示す情報であり、フレームレートや放射線照射時間等を含んでいる。ここで、撮影モードについて説明する。例えば頭部正面、頭部側面、頸椎など、撮影部位に応じて、適切な撮影条件が異なる。ここで、撮影条件には、管電流、管電圧、撮影時間、照射野サイズ等が含まれる。撮影条件は、測定方向における体厚に応じて異なる。また、大人と子供でも撮影条件が異なる。このような、撮影条件に寄与する被検者の条件が撮影モードとして予め制御装置３１０において設定されているものとする。また、撮影モードに対応付けて撮影条件が設定されているものとする。
【００５０】
さらに、本実施形態においては、撮影開始前において、例えば、表示装置３１３が撮影モードのリストを表示する。ユーザは、このリストにおいて、これから行う撮影に対応した撮影モードを選択する。このユーザ操作に対応し、制御装置３１０は、撮影モードの選択指示を受け付ける。そして、制御装置３１０は、選択指示に係る撮影モードに対応した撮影モード情報を生成する。ここで、撮影モード情報には、撮影モードに対応したフレームレート、放射線照射時間、撮影条件等が含まれる。
【００５１】
なお、本実施形態においては、制御部２２５は、制御装置３１０が撮影モード情報を受信することとしたが、制御部２２５が撮影モード情報を取得するための処理は実施形態に限定されるものではない。他の例としては、制御部２２５は、制御装置３１０から、選択指示に係る撮影モードを示す情報を受信してもよい。この場合、制御部２２５は、撮影モードと撮影条件を対応付けたテーブルを記憶しておき、テーブルを参照することで、受信した情報に基づいて、撮影モード情報を生成してもよい。
【００５２】
次に、Ｓ５０２において、ＣＰＵ４０１は、Ｓ５０１において取得したフレームレートに基づいて、ＡＥＣにおける蓄積可能時間（ＸＷｉｎｄｏｗ時間）を算出する。ここで、ＸＷｉｎｄｏｗ時間は、フレームレートに基づく撮影周期時間から、ＡＥＣ用オフセットデータ取得時間、画像読み出し時間等を差し引くことにより算出される時間である。
【００５３】
次に、Ｓ５０３において、ＣＰＵ４０１は、Ｘｗｉｎｄｏｗ時間と、Ｓ５０１にて取得した放射線照射時間とを比較する。ＣＰＵ４０１は、Ｘｗｉｎｄｏｗ時間の方が放射線照射時間に比べて大きい場合は（Ｓ５０３でＹＥＳ）、処理をＳ５０４へ進める。ＣＰＵ４０１は、Ｘｗｉｎｄｏｗ時間が放射線照射時間以下の場合には（Ｓ５０３でＮＯ）、処理をＳ５０５へ進める。Ｓ５０４において、ＣＰＵ４０１は、放射線量の制御方法としてＡＥＣを選択する。そして、この場合、ＣＰＵ４０１は、ＡＥＣを行う。Ｓ５０５において、ＣＰＵ４０１は、放射線量の制御方法としてＡＢＣを選択する。そして、この場合、ＣＰＵ４０１は、ＡＥＣを行う。ＡＥＣ及びＡＢＣは、前述の通りである。なお、ＡＥＣ制御を行う場合及びＡＢＣを行う場合の、制御開始時の照射条件は予め定められているものとする。
【００５４】
Ｘｗｉｎｄｏｗ時間が放射線照射時間よりも大きい場合には、Ｘｗｉｎｄｏｗ時間に放射線照射を終了することができる。したがって、この場合には、放射線撮像装置３００は、ＡＥＣを行う。これに対し、Ｘｗｉｎｄｏｗ時間が放射線照射時間以下の場合には、Ｘｗｉｎｄｏｗ時間に放射線照射を完了することができない。すなわち、この場合には、ＡＥＣを行うことができない。そこで、この場合には、放射線撮像装置３００は、ＡＢＣを行う。これにより、最初の数フレームについては、フィードバック制御を行えないものの、それ以降においては放射線量制御を行うことができる。さらに、ＡＢＣを行うので、ＡＥＣを行った場合のように、Ｘｗｉｎｄｏｗ時間に放射線照射を完了することができなくなる事態を避けることができる。なお、Ｘｗｉｎｄｏｗ時間と放射線照射時間の大小関係は、撮像条件に応じて定まる。すなわち、Ｓ５０３〜Ｓ５０５の処理は、撮像条件に応じて、放射線放射線量制御を行う制御処理の一例である。
【００５５】
ＣＰＵ４０１は、積算照射量が適正線量（目標放射線量）以上になるまでＡＥＣ又はＡＢＣを継続し（Ｓ５０６）、積算照射量が適正線量ターゲット値（目標放射線量）以上になると（Ｓ５０６でＹＥＳ）、処理をＳ５０７へ進める。なお、ＡＢＣにおいては、ＣＰＵ４０１は、メモリ４０２に予め設定されている、基準目標放射線量を目標放射線量として積算照射量との比較を行うものとする。Ｓ５０７において、ＣＰＵ４０１は、有線通信部４０７を介して放射線発生装置３２４に放射線照射の停止信号を送信する。これに対応し、放射線発生装置３２４は、放射線照射を停止するよう放射線源３２５を制御する。以上で、放射線量制御処理が終了する。
【００５６】
以上のように、本実施形態においては、放射線撮像装置３００は、Ｘｗｉｎｄｏｗ時間と放射線照射時間とに基づいて、放射線制御の方法を決定する。これにより、撮影条件に応じた、適切な放射線照射量を制御することができる。
【００５７】
（第２の実施形態）
次に、第２の実施形態に係る放射線撮像システム１０について第１の実施形態に係る放射線撮像システム１０と異なる点を主に説明する。第２の実施形態に係る放射線撮像システム１０においては、放射線撮像装置３００は、Ｓ５０５（図５）において、開始直後の所定期間の間、ＡＢＣと共に、ＡＥＣを行う。
【００５８】
図６は、第２の実施形態に係るＳ５０５の処理のタイミングチャートを示す図である。第２の実施形態においては、制御部２２５は、放射線照射の開始のタイミングＴｘにおいて、ＡＢＣと共に、ＡＥＣを開始する。
【００５９】
ＡＢＣにおいては、開始直後のフレームにおいては制御を行うことができない。図６の例では、１回目の撮影で得られた放射線画像の解析結果が反映されるのは、３回目の撮影であるため、１回目、２回目の撮影において線量制御を行うことができない。これに対し、ＡＥＣにおいては、開始直後のフレームから線量制御を行うことができる。そこで、本実施形態においては、制御部２２５は、ＡＢＣと共にＡＥＣを行うものとする。これにより、図６の例では、１回目の撮影と、２回目の撮影においては、ＡＥＣが適用され、３回目以降の撮影においては、ＡＢＣが適用される。これにより、Ｓ５０５の処理においても開始直後のフレームから照射量制御を行うことができる。
【００６０】
なお、Ｓ５０５の処理を行う場合には、直前のＳ５０３において、Ｘｗｉｎｄｏｗ時間が照射時間以下と判定されている通り、Ｘｗｉｎｄｏｗ時間が不足している。そこで、本実施形態においては、制御部２２５は、Ｓ５０５の処理を行う場合には、図６に示すように、放射線照射の開始タイミングＴｘよりも前に予めＡＥＣオフセット補正処理を行っておくこととする。ここで、ＡＥＣオフセット補正処理とは、オフセット成分を求め、これをメモリ４０２に設定する処理である。そして、制御部２２５は、開始タイミングＴｘ以降に実行されるＡＥＣにおいては既に得られているオフセット成分を利用する。すなわち、制御部２２５は、開始タイミングＴｘ以降においては、オフセット補正処理は行わない。なお、事前に取得したＡＥＣ用オフセット成分は、検出部２２３の温度等の状態変化に対して敏感であるが、短い期間であれば所望の精度で補正を行うことができる。以上のように、ＡＥＣオフセット補正処理を放射線照射の開始前に行うことにより、Ｘｗｉｏｎｄｏｗ時間を長くすることができる。なお、第２の実施形態に係る放射線撮像システム１０の構成及び処理は、第１の実施形態に係る放射線撮像システム１０の構成及び処理と同様である。
【００６１】
以上のように、第２の実施形態においては、放射線撮像装置３００は、ＡＢＣを行う場合においても、撮影開始後所定期間においてＡＥＣを行うこととする。これにより、放射線撮影の開始直後から線量制御が可能となる。さらに、ＡＢＣに応じた照射条件が設定されるタイミング以降においては、ＡＥＣを停止し、線量制御をＡＢＣに切り替える。これにより、Ｘｗｉｎｄｏｗ時間が放射線照射時間以下の場合においても、放射線照射を完了できなくなる事態を避けることができる。このように、１フレーム目から撮影終了まで、各フレームに適した線量制御を行うことができる。
【００６２】
なお、ＡＥＣを行う期間は、撮影開始から予め定められた期間であればよく、実施形態に限定されるものではない。
【００６３】
なお、ＡＥＣ及びＡＢＣにおいて、解析のＲＯＩを設定可能だが、両制御におけるＲＯＩ設定を同一とすることが望ましい。すなわち、ＡＥＣ及びＡＢＣの対象領域は同一の領域であることが望ましい。また、ＡＥＣにおいて得られるフィードバック情報と、ＡＢＣによって得られるフィードバック情報とは、同一の線量積算値に対して、補正方法や信号処理回路等の違いにより、異なった数値を示すケースもある。ここで、フィードバック情報とは、線量制御に係る制御値である。この場合、制御部２２５は、適正線量ターゲットに対して、それぞれの閾値を利用することとしてもよい。
【００６４】
また、他の例としては、制御部２２５は、両者の相関データを予め取得・記憶しておき、ＡＥＣ及びＡＢＣのうち一方の適正線量ターゲット（閾値）から他方の適正線量ターゲットを求めてもよい。上記実施形態においては、ＡＥＣで取得される情報の撮像系と、ＡＢＣで取得される情報の撮像系とが同一であるため、両者の相関関係が高い精度となる利点もある。
【００６５】
（第３の実施形態）
まず、放射線撮像装置３００を用いた放射線撮像システム１０の放射線照射量制御（ＡＥＣ）動作について説明する。操作者３１２は、制御装置３１０に対して、最大照射時間、放射線をモニタすべき領域である放射線関心領域（ＲＯＩ）、部位情報、及び体格情報などを入力する。制御装置３１０は、入力された情報を、放射線制御部４０３及び放射線発生装置３２４へ送信する。撮影準備が完了し、操作者３１２が放射線照射スイッチ３１１を押下すると、放射線が照射される。照射された放射線は、被検者３０６を透過して放射線撮像装置３００に入射する。放射線制御部４０３は、放射線関心領域（ＲＯＩ）に入射した放射線を検出素子１２２で検出し、信号処理部２２４で所定の期間に検出した線量（到達線量）の積算値である積算照射量を演算する。制御部２２５は、信号処理部２２４からの積算照射量情報から適正線量を算出し、放射線照射停止タイミングを決定する。放射線制御部４０３は、決定された放射線照射停止タイミングに基づき、放射線発生装置３２４に放射線停止タイミングを通知する。放射線発生装置３２４は、通知された放射線照射停止タイミングに基づき、放射線の照射を停止する。
【００６６】
次に、放射線撮像装置３００を用いた放射線撮像システム１０の放射線輝度制御（ＡＢＣ）動作について説明する。操作者３１２は、制御装置３１０に対して、目標輝度値、画素値に対して目標輝度値に近づけるために管電流もしくは管電圧をどのように増減するかを示す算出式、及び放射線をモニタすべき領域である放射線関心領域（ＲＯＩ）などを入力する。制御装置３１０は、入力された情報を、放射線制御部４０３へ送信する。撮影準備が完了し、操作者３１２が放射線照射スイッチ３１１を押下すると、放射線が照射される。照射された放射線は、被検者３０６を透過して放射線撮像装置３００に入射する。放射線制御部４０３は、放射線関心領域（ＲＯＩ）に入射した放射線を画素１０１で検出し、取得した画像のＲＯＩ内の画素値の平均値を算出する。そして、放射線制御部４０３は、上記算出式から目標輝度値に近づけるように、算出結果のフィードバック値を放射線発生装置３２４に対して送信する。放射線発生装置３２４は、フィードバック値を基に、次フレーム以降、管電流もしくは管電圧を補正することで、放射線輝度を適切な値とする。
【００６７】
以上のように、ＡＥＣは適正量に達した場合に放射線を止め、ＡＢＣは放射線条件を増減させて適切な放射線像の輝度を得る技術である。放射線撮像装置３００は、ＡＥＣとＡＢＣの両方の機能を内蔵し、両方の機能を同時に使用することができる。これにより、放射線撮像装置３００は、構成をシンプルにすることができ、テーブル上で使用するなどワイヤレス利用なども含めたフリーポジションでのＡＥＣ及びＡＢＣ運用も可能となる。
【００６８】
しかし、放射線撮像装置３００がＡＥＣとＡＢＣの両方の機能を内蔵した場合、両方の機能が矛盾して動作するケースが想定される。例えば、ＡＥＣが適正量に達したと判断し放射線を止めようとするが、ＡＢＣは放射線条件を増加させるというような判断をした場合である。このような矛盾した動作をした場合、放射線撮像装置３００は、適切な放射線像を得ることができない可能性がある。
【００６９】
第３の実施形態では、放射線撮像装置３００は、ＡＥＣとＡＢＣの機能を調停可能な調停部を有することで、両方の機能が矛盾した動作をすることを防止する。
【００７０】
図７は、第３の実施形態による放射線制御部４０３の制御方法を示すフローチャートである。図３に示すように、放射線制御部４０３は、放射線照射量制御と放射線輝度制御を調停する調停部４０８を有する。
【００７１】
ステップＳ７０１では、調停部４０８は、制御装置３１０からの情報を基に、放射線照射量制御と放射線輝度制御の両方を使用する設定であるか否かを判定する。調停部４０８は、放射線照射量制御と放射線輝度制御の両方を使用する設定でない場合には、ステップＳ７０２に進み、放射線照射量制御と放射線輝度制御の両方を使用する設定である場合には、ステップＳ７０５に進む。
【００７２】
ステップＳ７０２では、調停部４０８は、制御装置３１０からの情報を基に、放射線照射量制御と放射線輝度制御のどちらか一方を使用する設定であるか否かを判定する。調停部４０８は、放射線照射量制御と放射線輝度制御のどちらも使用しない場合には、ステップＳ７０３に進み、放射線照射量制御と放射線輝度制御のどちらか一方を使用する設定である場合には、ステップＳ７０４に進む。
【００７３】
ステップＳ７０３では、調停部４０８は、放射線照射量制御と放射線輝度制御のどちらの制御も有効にしない。
【００７４】
ステップＳ７０４では、調停部４０８は、放射線照射量制御と放射線輝度制御のうちの使用する設定になっている制御を有効にする。
【００７５】
ステップＳ７０５では、調停部４０８は、制御装置３１０からの情報を基に、放射線照射量制御と放射線輝度制御のどちらが優先であるのかを判定する。調停部４０８は、放射線照射量制御が放射線輝度制御より優先である場合には、ステップＳ７０６に進み、放射線輝度制御が放射線照射量制御より優先である場合には、ステップＳ７０７に進む。
【００７６】
ステップＳ７０６では、調停部４０８は、放射線照射量制御を有効にし、放射線輝度制御を有効にしない。
【００７７】
ステップＳ７０７では、調停部４０８は、放射線輝度制御を有効にし、放射線照射量制御を有効にしない。
【００７８】
放射線撮像装置３００は、放射線照射量制御と放射線輝度制御の両方が同時に動作することで、放射線照射量制御は照射を止めることで放射線量を減らそうとし、放射線輝度制御は放射線量を増やそうとするような矛盾した動作が実施されるのを防ぐことができる。これにより、放射線撮像装置３００は、適切な放射線像を取得することができる。
【００７９】
（第４の実施形態）
図８は、第４の実施形態による調停部４０８の制御方法を示すフローチャートである。図８は、図７に対して、ステップＳ７０５〜Ｓ７０７の代わりに、ステップＳ８０１〜Ｓ８０３を設けたものである。以下、第４の実施形態が第３の実施形態と異なる点を説明する。
【００８０】
ステップＳ７０１〜Ｓ７０４は、図７のものと同様である。ステップＳ７０１では、調停部４０８は、放射線照射量制御と放射線輝度制御の両方を使用する設定である場合には、ステップＳ８０１に進む。
【００８１】
ステップＳ８０１では、調停部４０８は、制御装置３１０からの情報を基に、撮影方法が透視撮影（動画撮影）か一般撮影（静止画撮影や連続撮影を含む）かを判定する。調停部４０８は、撮影方法が一般撮影である場合には、ステップＳ８０２に進み、撮影方法が透視撮影である場合には、ステップＳ８０３に進む。
【００８２】
ステップＳ８０２では、調停部４０８は、放射線照射量制御を有効にし、放射線輝度制御を有効にしない。一般撮影については、透視撮影などを通して、既に決まっている一定の放射線条件にて放射線照射を実施するため、放射線照射量制御を有効とする。
【００８３】
ステップＳ８０３では、調停部４０８は、放射線輝度制御を有効にし、放射線照射量制御を有効にしない。透視撮影については、撮影前に弱い放射線照射にて適切な放射線条件を調整する役割を担っているため、放射線輝度制御を有効とする。
【００８４】
（第５の実施形態）
図９は、第５の実施形態による調停部４０８の制御方法を示すフローチャートである。図９は、図７に対して、ステップＳ７０５〜Ｓ７０７の代わりに、ステップＳ９０１〜Ｓ９０３を設けたものである。以下、第５の実施形態が第３の実施形態と異なる点を説明する。
【００８５】
ステップＳ７０１〜Ｓ７０４は、図７のものと同様である。ステップＳ７０１では、調停部４０８は、放射線照射量制御と放射線輝度制御の両方を使用する設定である場合には、ステップＳ９０１に進む。
【００８６】
ステップＳ９０１では、調停部４０８は、制御装置３１０からの情報を基に、撮影方法が透視撮影（動画撮影）か一般撮影（静止画撮影や連続撮影を含む）かを判定する。調停部４０８は、撮影方法が一般撮影である場合には、ステップＳ９０２に進み、撮影方法が透視撮影である場合には、ステップＳ９０３に進む。
【００８７】
ステップＳ９０２では、調停部４０８は、放射線照射量制御を放射線輝度制御より優先させ、放射線照射量制御と放射線輝度制御を併用する。放射線照射量制御を優先させる方法は、種々の方法でよい。例えば、調停部４０８は、連続撮影の場合にも適切な放射線照射が行われるように、放射線の最低照射時間を下回らないように、輝度制御式を算出してから、放射線照射量制御と放射線輝度制御を併用して調停する。
【００８８】
ステップＳ９０３では、調停部４０８は、放射線輝度制御を放射線照射量制御より優先させ、放射線照射量制御と放射線輝度制御を併用する。放射線輝度制御を優先させる方法は、種々の方法でよい。例えば、調停部４０８は、最低管電流又は最低管電圧を下回らないように、照射量を算出してから、放射線照射量制御と放射線輝度制御を併用して調停する。
【００８９】
（第６の実施形態）
図１０は、第６の実施形態による調停部４０８の制御方法を示すフローチャートである。図１０は、図７に対して、ステップＳ７０５〜Ｓ７０７の代わりに、ステップＳ１００１〜Ｓ１００３を設けたものである。以下、第６の実施形態が第３の実施形態と異なる点を説明する。
【００９０】
ステップＳ７０１〜Ｓ７０４は、図７のものと同様である。ステップＳ７０１では、調停部４０８は、放射線照射量制御と放射線輝度制御の両方を使用する設定である場合には、ステップＳ１００１に進む。
【００９１】
ステップＳ１００１では、調停部４０８は、制御装置３１０が放射線輝度制御による管電流もしくは管電圧（放射線条件）が減少するような指示を放射線発生装置３２４にしているかを判定する。調停部４０８は、放射線輝度制御による管電流もしくは管電圧（放射線条件）が減少するような指示をしている場合には、ステップＳ１００２に進む。調停部４０８は、放射線輝度制御による管電流もしくは管電圧（放射線条件）が増加するような指示をしている場合には、ステップＳ１００３に進む。
【００９２】
ステップＳ１００２では、調停部４０８は、放射線照射量制御を有効とし、放射線輝度制御を有効とし、放射線照射量制御と放射線輝度制御を併用する。
【００９３】
ステップＳ１００３では、調停部４０８は、放射線照射量制御を有効とせず、放射線輝度制御を有効とする。これにより、放射線照射量制御は、放射線量を減らそうとし、放射線輝度制御は、放射線量を増やそうとするような矛盾した動作が実施されるのを防ぐことができる。
【００９４】
以上、本発明の好ましい実施形態について詳述したが、本発明は係る特定の実施形態に限定されるものではなく、特許請求の範囲に記載された本発明の要旨の範囲内において、種々の変形・変更が可能である。
【００９５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９６】
１０  放射線撮像システム
３００  放射線撮像装置
３１０  制御装置
３２４  放射線発生装置
【図１】
2020103872.tif 000003
【図２】
2020103872.tif 000004
【図３】
2020103872.tif 000005
【図４】
2020103872.tif 000006
【図５】
2020103872.tif 000007
【図６】
2020103872.tif 000008
【図７】
2020103872.tif 000009
【図８】
2020103872.tif 000010
【図９】
2020103872.tif 000011
【図１０】
2020103872.tif 000012